(57)【要約】      （修正有）【課題】帯電防止保健櫛を提供する。【解決手段】櫛本体の櫛歯部、把握部の外面の何れにも１層の導電金属膜が塗布され、導電金属膜に１層の樹脂保護膜が更に塗布され、両者が複合することで導電金属膜の一部の導電性能を低下させ、もともとの単純な導体から複合半導構造の製品になり、半導体材料で電荷をより速く移転するという性能を持つようになり、摩擦による電荷を直接人体の接触より速く疏通することができ、静電気防止の効果を果たし、髪の毛を保護し、髪の毛を梳く場合により順調にし、髪が巻けることはない。また、櫛歯部の正面に上方へ膨出したガス嚢皮１４があり、ガス嚢皮にガス嚢貫通孔８及び複数の櫛歯が設けられるので、按摩・保健機能を持つ。【選択図】図１
0003231406.tif 000002
【実用新案登録請求の範囲】
【請求項１】
櫛本体が櫛歯部及び把握部を含む帯電防止保健櫛において、前記把握部、櫛歯部の外面の何れにも第１中間導電層が塗布され、前記第１中間導電層に第１導電低下保護層が塗布されることを特徴とする帯電防止保健櫛。
【請求項２】
前記把握部及び櫛歯部は、一体成形された中空の構造であり、何れの内面にも第２中間導電層が塗布され、前記第２中間導電層に第２導電低下保護層が塗布されることを特徴とする請求項１に記載の帯電防止保健櫛。
【請求項３】
前記櫛歯部の頭部の正面に開口が設けられ、開口にガス嚢皮が被覆され、前記ガス嚢皮にガス嚢貫通孔及び複数の櫛歯が設けられることを特徴とする請求項２に記載の帯電防止保健櫛。
【請求項４】
前記ガス嚢皮はラバーであり、上方へ膨出して外凸したラバーが櫛歯部の頭部の開口の内壁にしっかり貼り合い、前記ラバーの把握部に接近する一端にガス嚢貫通孔が設けられ、前記ラバーの内外面の何れにも第１中間導電層又は第２中間導電層が塗布され、その上に第１導電低下保護層又は第２導電低下保護層が更に塗布されることを特徴とする請求項３に記載の帯電防止保健櫛。
【請求項５】
前記第１中間導電層及び第１導電低下保護層の複合半導構造の表面抵抗値は１０３Ω〜１０１１Ωであり、前記第２中間導電層及び第２導電低下保護層の複合半導構造の表面抵抗値は１０３Ω〜１０１１Ωであることを特徴とする請求項４に記載の帯電防止保健櫛。
【請求項６】
前記第１中間導電層及び第１導電低下保護層の複合半導構造の表面抵抗値は１０４Ω〜１０９Ωであり、前記第２中間導電層及び第２導電低下保護層の複合半導構造の表面抵抗値は１０４Ω〜１０９Ωであることを特徴とする請求項５に記載の帯電防止保健櫛。
【請求項７】
前記把握部及び櫛歯部の正面及び背面の何れにも複数の半球形体の突起が分布されることを特徴とする請求項１〜請求項６の何れか１項に記載の帯電防止保健櫛。
【請求項８】
前記第１中間導電層と第２中間導電層とは、材質が同じであり、何れも前記櫛本体の表面に塗布された１層の導電金属膜又は導電合金膜であり、その膜厚が２μｍ以上であることを特徴とする請求項２に記載の帯電防止保健櫛。
【請求項９】
前記第１導電低下保護層と第２導電低下保護層とは、材質が同じであり、何れも１層の透明な樹脂保護膜であり、その膜厚が３μｍ以上であることを特徴とする請求項２に記載の帯電防止保健櫛。
【請求項１０】
前記導電金属膜又は導電合金膜及び前記樹脂保護膜の塗布方法として電気めっき又は真空めっきを採用し、且つ透明な樹脂保護膜を異なる着色剤で着色してよいことを特徴とする請求項８又は９に記載の帯電防止保健櫛。
【考案の詳細な説明】
【技術分野】
【０００１】
本考案は、髪の毛を梳くための櫛に関し、具体的には、帯電防止保健櫛に関する。
【背景技術】
【０００２】
人たちは、髪を梳く場合、櫛歯と髪の毛とが摩擦を大量に発生するため、発生した静電気により、髪の毛が巻けて、梳きにくくなり、且つ静電気がふけを傷つけ、髪の質感を損壊することがあり、髪が切れやすい。従来の技術による帯電防止櫛は、主に、下記２つの構想で設計される。その一方では、帯電を抑制するものであり、例えば木櫛、牛角櫛のように、自体に適量な水分を含有し且つ摩擦により容易に帯電しない材料を選用して櫛を製作する。その他方では、例えば加湿による帯電防止、陰イオンによる帯電防止又は他の導電材料による帯電防止のように、電荷を導引し、電荷が大量に集まって静電気を形成しやすくないようにするものである。
【０００３】
第１種類の設計については、髪梳き体験及び材料の価格がこのような製品の広範的な普及を制約する要素になり、例えば牛角櫛のような帯電防止櫛がほとんど単列の櫛歯しか有せず、髪梳き体験が好適ではなく、原材料の取得及び加工も困難であるので、価格も高く、普通の消費者であればなかなか消費できない。
【０００４】
第２種類の設計については、加湿による帯電防止は、基本的に、櫛頭部のキャビテ内に液体（例えば、水）を加えて、静電気の発生を減らす。しかしながら、加湿して髪を梳くと、不快適になりやすく、特に天気が寒い場合、使用の限界性が高い。導電材料による帯電防止は、導電材料で製作された櫛歯を利用し、発生した電荷を櫛歯によって導引して、その電荷が順調に集まって静電気を形成しないようにする。しかし、櫛全体が導体材料で製作され、且つ導電線によって電荷を導電領域にガイドする必要があり、櫛の製作コストを高くするだけではなく、内部の構造を複雑にし、また、櫛の本体の形が殆ど単列の櫛歯の扁平な櫛であり、按摩・保健の機能を持たず、単に導体材料であれば安全的に危険性がある。また、プラスチック原料に塩類イオンを加えた射出成形櫛もあり、空気における水分を吸収した後で、櫛の表面に付けて、髪を梳く場合に電荷を移転することができるため、室内の湿度環境が変わると、つまり空気が乾燥になり、含水率が低い場合、これらの櫛の電荷に対する移転能力が大幅に低下する。陰イオン発生器を採用する櫛もあり、このような設計であれば、帯電防止の機能性がよいが、コストが高く、且つ正陰イオンがぶつかると、出されるビリビリという音が使用者を驚かすことがよくあり、ユーザー体験がよくない。
【０００５】
髪梳きの時に静電気が発生することについては、従来の設計であれば、材料が高く、又は導電の効果が不良であり、或いは導電設計が複雑であること等の限界性により大幅に普及し使用されないという問題がある。それに対して、本考案は、帯電防止保健櫛を設計し、櫛本体に多層の膜を塗布することで、櫛の表面により速く導電する複合半導構造の製品を形成し、電子の移転率を向上させ、発生した電荷をより速く疏通して、静電気の発生を防止し、導電の効果がよく且つコストが低く、より安全・信頼的である。
【考案の概要】
【考案が解決しようとする課題】
【０００６】
本考案は、従来の技術における不足に対して、本櫛全体に１層の導電金属膜が塗布され、また導電金属膜に１層の樹脂保護膜が塗布され、樹脂保護膜層の樹脂骨格実体が導電金属膜層を遊離する電子の一部をさえぎり止め、両者が複合することで金属が低下し、もともとの単純な導体から複合半導構造の製品になり、半導体材料で電荷をより速く移転するという性能を持つようになり、コート全体が全体的に導通し、人の手の把握により、電荷をより速く疏導していき、櫛歯の先端に順調に集まって静電気を形成して、ふけ及び髪の毛を傷つけないようにする帯電防止保健櫛を提供する
【課題を解決するための手段】
【０００７】
櫛本体が櫛歯部及び把握部を含む帯電防止保健櫛において、前記把握部、櫛歯部の外面の何れにも第１中間導電層が塗布され、前記第１中間導電層に第１導電低下保護層が更に塗布される。前記櫛は、複数列の櫛歯の櫛又は従来の単列の櫛歯の扁平な櫛であってもよく、櫛を把握するための把握部を有すればよく、つまりハンドル付きのもの又はハンドル無しのものであってもよい。前記第１中間導電層と第１導電低下保護層とがより速く導電する製品を形成し、複合半導構造と呼ばれる。この複合半導構造により、櫛の表面の抵抗値が半導体材料の抵抗値の範囲にあるようになり、半導体材料で電荷をより速く移転するという性能を持つ。
【０００８】
好ましくは、前記把握部及び櫛歯部は、一体成形された中空の構造であり、何れの内面にも第２中間導電層が塗布され、前記第２中間導電層に第２導電低下保護層が更に塗布される。櫛の把握部及び櫛歯部は、内部が中空であり且つ外面と同じであるコーティングされた複合半導構造を有し、全体導通の安定性を向上させ、電荷をより速く移転するという技術目的をより良好に達成することができる。
【０００９】
好ましくは、前記櫛歯部の頭部の正面に開口が設けられ、開口に上方へ膨出したガス嚢皮が設けられ、前記ガス嚢皮にガス嚢貫通孔が設けられ、また複数の櫛歯部を中心として環状に分布される櫛歯が固定されておく。ガス嚢貫通孔の設置により、ガス嚢皮と中空の構造の櫛とにより形成された半閉鎖のキャビテに空気が出入りすることができるので、ガス嚢皮がより良好に頭部の異なる位置によって収縮して伸展し、ふけを按摩し、緩やかにする効果がある。
【００１０】
好ましくは、前記ガス嚢皮はラバーであり、上方へ膨出して外凸したラバーが櫛歯部の頭部の開口の内壁にしっかり貼り合い、前記ラバーの把握部に接近する一端にガス嚢貫通孔が設けられ、前記ラバーの内外面の何れにも第１中間導電層又は第２中間導電層が塗布され、その上に第１導電低下保護層又は第２導電低下保護層が更に塗布される。第１中間導電層と第２中間導電層とは好ましくは同じ材質のコートであり、第１導電低下保護層と第２導電低下保護層とは好ましくは同じ材質のコートである。ラバーの価格が低く、容易に取得することができ、且つラバーへの軟膜塗布技術も割に成熟であり、櫛本体と全体的に導通することができるので、櫛歯に発生した電荷が櫛歯、ガス嚢皮、櫛歯部及び把握部に沿って流れて、人の手を介して伝導されていく。
【００１１】
好ましくは、前記第１中間導電層及び第１導電低下保護層の複合半導構造の表面抵抗値は１０３Ω〜１０１１Ωであり、前記第２中間導電層及び第２導電低下保護層の複合半導構造の表面抵抗値は１０３Ω〜１０１１Ωである。表面抵抗測定装置によると、この表面抵抗値が半導体状態の抵抗値の範囲内に制御されることが判明され。子供が櫛を弄る場合に誤って櫛歯をコンセントの差し込み口に挿すことがあるので、これにより、単純な導体材料で製作された櫛の感電傷による傷つけのリスクを低下させることができ、より安全で信頼的である。
【００１２】
好ましくは、前記第１中間導電層及び第１導電低下保護層の複合半導構造の表面抵抗値は１０４Ω〜１０９Ωであり、前記第２中間導電層及び第２導電低下保護層の複合半導構造の表面抵抗値は１０４Ω〜１０９Ωである。表面抵抗測定装置によると、この表面抵抗値が半導体状態の抵抗値の範囲内に制御されることが判明され。子供が櫛を弄る場合に誤って櫛歯をコンセントの差し込み口に挿すことがあるので、これにより、単純な導体材料で製作された櫛の感電傷による傷つけのリスクを低下させることができ、より安全で信頼的である。且つ複合半導構造の表面抵抗値がこの範囲にある場合、快速導電の性能が大きく向上する。この表面抵抗値は、複合半導構造の膜層材料、膜層の厚さ、櫛の表面曲率等の要素に依存する。
【００１３】
好ましくは、前記把握部及び櫛歯部の正面及び背面の何れにも複数の半球形体の突起が分布される。突き出る設置により、押さえられる場合に按摩・保健の効果を与えることができる。より重要なのは、導電低下保護層の厚さを大きくした後で、樹脂の隙間を通過する自由電荷を減らす。突き出る形状により表面電荷の密度を変えて、導電層表面のより多くの自由電荷を転移させ、櫛の表面の抵抗値を低下させ、半導体の抵抗値の範囲により接近させ、帯電防止効果を向上させる。
【００１４】
好ましくは、前記第１中間導電層と第２中間導電層とは、材質が同じであり、何れも前記櫛本体表層に塗布された１層の導電金属膜又は導電合金膜であり、その膜厚が２μｍ以上である。導電金属膜又は導電合金膜の膜厚が２μｍより小さくなる場合、形成された複合製品の導電性能が悪く、速度が遅く又は安定性が不良であることに表現される。ある程度で、膜厚が大きいほど、導電の効果もよくなる。
【００１５】
好ましくは、前記第１導電低下保護層と第２導電低下保護層とは、材質が同じであり、何れも１層の透明な樹脂保護膜であり、その膜厚が３μｍ以上である。樹脂保護膜は、導電金属膜又は導電合金膜と複合して複合半導構造の製品を形成し、一部の導電性能を低下させるが導電速率をより速くすると共に、導電金属膜又は導電合金膜の酸化を防止し、導電の効果及び耐用性を保障し、櫛の使用寿命を延ばすために設けられる。
【００１６】
好ましくは、前記導電金属膜又は導電合金膜及び前記樹脂保護膜の塗布方法として電気めっき又は真空めっきを採用し、且つ前記透明な樹脂保護膜を異なる着色剤で着色してよい。透明な樹脂保護膜が着色しやすく、後の工程において、異なる着色剤を添加することで、如何なる色合いの櫛を製造してよい。消費者の選択可能な色がより多くなり、普通の帯電防止櫛の単一の色に限定されず、市場の要求を満たすことができる。
【考案の効果】
【００１７】
従来の技術に比べると、導電材料で一体成形された櫛は、帯電防止性が最高であるが、コストが高く、製造しにくい。本考案の帯電防止保健櫛は、櫛の把握部、櫛歯部の外面の何れにも１層の導電金属膜及び１層の樹脂保護膜が被覆され、樹脂保護膜層の樹脂骨格実体が導電金属膜層を遊離する電子の一部をさえぎり止め、両者が複合することで金属膜の一部の導電性能が低下し、もともとの単純な導体から複合半導構造の製品になり、半導体材料で電荷をより速く移転するという性能を持つようになり、コート全体が全体的に導通し、人の手の把握により、電荷をより速く疏導していき、櫛歯の先端に順調に集まって静電気を形成して、ふけ及び髪の毛を傷つけないようにし、静電気防止の効果を果たし、髪の毛を保護し、髪の毛を梳く場合により順調にし、髪が巻けることはない。次に、本考案は、更に、一定の按摩・保健機能を持ち、髪の毛を梳く場合に一定に押す動作があり、ガス嚢皮におけるガス嚢貫通孔が髪梳きの過程中にキャビテ内に適量の空気を吸入し及び空気を排出して、ガス嚢皮を揺れ動かせて、複数周りの櫛歯で梳くことで、頭部の異なる接触位置によって変化し、ふけを快適にし、圧迫感はなく、単列の櫛歯による刺されたような硬い感覚とうい問題を克服し、按摩・保健の効果を達成する。
【図面の簡単な説明】
【００１８】
【図１】複数列の櫛歯付きの櫛の立体模式図である。
【図２】複数列の櫛歯付きの櫛のもう１つの立体模式図である。
【図３】本帯電防止保健櫛のコート構造の模式図である。
【図４】樹脂構造の拡大図である。
【図５】ハンドル無しの単列の櫛歯の扁平な櫛の模式図である。
【図６】ハンドル付きの単列の櫛歯の扁平な櫛の模式図である。
【考案を実施するための形態】
【００１９】
以下、添付図面及び実施例に合わせて、本考案を更に説明する。
【００２０】
図面に示すように、帯電防止保健櫛であり、櫛本体３は櫛歯部及びハンドル部を含み、ハンドル部、櫛歯部及び櫛歯の本体はプラスチック又は他の非導電性材料から製作される。
【００２１】
櫛の把握部、櫛歯部及び櫛歯の外面の何れにも第１中間導電層２が塗布され、第１中間導電層２に更に第１導電低下保護層１が塗布される。添付図面に示すように、本考案の櫛は、複数列の櫛歯を有する櫛又は従来の単列の櫛歯の扁平な櫛であってよく、櫛を把握するための把握部を有すればよく、つまり前記櫛はハンドル付きのもの又はハンドル無しのもの（ハンドル無しの扁平な櫛の把握部１０、ハンドル無しの扁平な櫛の櫛歯部１１、ハンドル付きの扁平な櫛の把握部１２、ハンドル付きの扁平な櫛の櫛歯部１３）であってもよい。本考案の第１中間導電層２に第１導電低下保護層１を加えると、複合半導構造と呼ばれる、より速く導電する製品が形成される。この複合半導構造により櫛の表面抵抗値が半導体材料の抵抗値の範囲にあり、半導体材料を備えると、電荷の性能をより速く移転することができる。
【００２２】
櫛の把握部及び櫛歯部は、一体成形された中空の構造であり、何れの内面にも第２中間導電層４が塗布され、且つ第２中間導電層４に更に第２導電低下保護層５が塗布される。櫛の把握部及び櫛歯部は、内部が中空であり且つ外面と同じであるコーティングされた複合半導構造を有し、全体導通の安定性を向上させ、電荷をより速く移転するという技術目的をより良好に達成することができる。
【００２３】
櫛の把握部、櫛歯部の内外面の何れにも１層の第１中間導電層２又は第２中間導電層４が塗布される。第１中間導電層２及び第２中間導電層４の何れも実際的に１層の導電金属膜であり、例えば銅膜、アルミニウム膜又は合金膜であり、銀膜であってもよい。製品の異なる定位によって、普通の櫛製品に銅膜を使用し、高級な櫛製品に銀膜等の導電性がより良好であるがコストがより高い金属膜を使用する。つまり製品自体の金属膜層は銅に限定されない。アルミニウム、ニッケル、銀、金又は合金等の何れも製品の要求に応じて、異なる中間コートを選用してよい。本考案の櫛は、複数列の櫛歯を有する櫛又は従来の単列の櫛歯の扁平な櫛であってよい。
【００２４】
櫛歯部の頭部の正面に楕円形又は円形の開口が設けられ、開口の中に上方へ僅かに膨出したガス嚢皮が設けられ、ガス嚢皮にガス嚢貫通孔８が設けられまた複数の櫛歯部を中心として環状に分布される櫛歯が固定されておく。櫛歯がガス嚢皮に固定して連結されるが、ガス嚢皮は例えばラバー等のフレキシブル材料で製作されるため、櫛歯はガス嚢皮において揺れ動くことができる。ガス嚢貫通孔８の設置により、ガス嚢皮と中空の構造の櫛により形成された半閉鎖のキャビテに空気が出入りすることができるので、ガス嚢皮がより良好に頭部の異なる位置によって収縮して伸展し、揺れ動くことのできる櫛歯に加えて、ふけを按摩し、緩やかにするという効果がある。
【００２５】
本考案は、ガス嚢皮として、ラバーを使用することが好ましい。上方へ膨出して外凸したラバーの外縁が櫛歯部の頭部の円形の開口又は楕円形の開口の内壁にしっかり貼り合い、且つラバーの把握部に接近する一端にガス嚢貫通孔８が設けられる。ラバーの内外面にも第１中間導電層２又は第２中間導電層４が塗布され、その上に第１導電低下保護層１又は第２導電低下保護層５が更に被覆される。第１中間導電層２と第２中間導電層４は好ましくは同じ材質のコートであり、第１導電低下保護層１と第２導電低下保護層５とは好ましくは同じ材質のコートである。つまり、材質が同じである場合、両者は同様なものであるが、定義された説明の名称が異なるだけである。導電剤で改良された従来の導電ラバーと異なって、本考案のラバーとして天然ラバーを採用してよく、改良技術を加える必要はなく、直接その上に１層の導電金属軟膜及び１層の樹脂保護軟膜を塗布し、その金属及び樹脂の選択としては、前記の導電金属膜の金属及び樹脂保護膜の樹脂と一致であり、同一の塗布製品に属する。且つラバーの価格が低く、容易に取得することができ、且つラバーへの軟膜塗布技術も割に成熟であり、櫛本体と全体的に導通することができるので、櫛歯に発生した電荷が櫛歯、ガス嚢皮、櫛歯部及び把握部に沿って流れて、人の手を介して伝導されていく。
【００２６】
第１中間導電層２及び第１導電低下保護層１の複合半導構造の表面抵抗値は１０３Ω〜１０１１Ωであり、第２中間導電層４及び第２導電低下保護層５の複合半導構造の表面抵抗値は１０３Ω〜１０１１Ωである。オームの法則によると、抵抗値が大きいほど、電流を妨害する能力が大きい。つまり、抵抗値が小さいほど、電荷移転力が強い。導体、半導体及び絶縁体は、一般的に、抵抗率によって区分される。抵抗率とは、つまり２０℃の常温での抵抗と断面積との乗積、と長さとの比であり、導体の長さ、断面積等の要素に関わらず、導体材料自体の電気的性質であり、導体の材料によって決められ、且つ温度に依存する。本願の複合半導構造によって、本来の櫛の導電層表面の抵抗率が変わり、本来の導電層表面の抵抗も変わる。表面抵抗が簡単で分かりやすく、且つ携帯型の表面抵抗測定装置がデスクトップ型の抵抗率測定装置よりも携帯及び推算しやすいので、述べる場合に表面抵抗の変化によって、櫛の表面に多層の膜形からなる複合半導構造の塗布による帯電防止の原理を説明する。導電性能と電荷移転性能と異なってよいことは、明確に要求される。金属体の内部電界強度が均一であるので、金属の導電性が半導体よりも良好であり、半導体の内部に逆方向の電荷が誘導され、電気変位が現れ、逆電界が形成されるので、全体的に言えば、金属を通過する電流が半導体のよりも強く、つまり導電性がより良好である。半導体は、正孔、電子があるので、電荷の移転率が金属体よりも高く、つまり電荷の半導体での定向運動速度がより速く、電荷をより速く移転して疏通させることができる。そのため、これにより、本願の櫛の表面の複合半導構造は、髪梳き時の静電気の発生を防止することができる。
【００２７】
第１中間導電層２と第１導電低下保護層１との複合半導構造の表面抵抗値はより好ましくは１０４Ω〜１０９Ωであり、第２中間導電層４と第２導電低下保護層５との複合半導構造の表面抵抗値はより好ましくは１０４Ω〜１０９Ωである。表面抵抗測定装置によると、この表面抵抗値が半導体状態の抵抗値の範囲内に制御されることが判明される。櫛は、家庭用品であり、至る所に置かれる可能性があり、常に幼い子に取られて玩具とされることがある。そのため、櫛本体３の表面を複合半導構造に設計すれば、一部の導電性能を低下させ、櫛を通過する電流を小さくし、幼い子供が櫛で電源の差し込み口に触って感電する危険性を低下させることができ、使用する場合により安全で信頼的である。且つ複合半導構造の表面抵抗値がこの範囲にある場合、快速導電の性能が大きく向上する。この表面抵抗値は、複合半導構造の膜層材料、膜層の厚さ、櫛の表面曲率等の要素に依存する。
【００２８】
把握部及び櫛歯部の正面及び背面の何れにも複数の半球形体突起９が分布される。突き出る設置により、押さえる場合に按摩・保健の効果を与えることができる。より重要なのは、ガウスの法則によると、静電場において、如何なる閉鎖曲面を貫通する電場強度流量も閉鎖曲面内の電荷の代数和のみに依存し、且つ閉鎖曲面の電荷の代数和割る真空における誘導率に等しい。つまり、導体表面に電荷が積み重ねられる場合、電荷密度は導体表面の形状に関わる。凹んだ部位において、電荷密度がゼロに接近し、穏やかな部位で小さく、尖っている部位で最大になる。櫛本体３の表面が人の手又はふけに接触することを考慮すると、一途に電荷をより速く移転するために尖っている突起に設計られるわけではなく、突き出る半円状球体に設計される。且つこの形状を金型で射出成形することは容易に達成される。そのため、導電低下保護層の厚さを大きくした後で、樹脂の隙間を通過する自由電荷を減らし、突き出る形状によって表面電荷の密度を変え、導電層表面のより多くの自由電荷を転移させ、表面抵抗値を低下させて（実際的に、表面抵抗率を低下させる）、半導体の抵抗値の範囲に更に接近させ、帯電防止効果を強化する。
【００２９】
第１中間導電層２と第２中間導電層４とは、材質が同じであり、何れも櫛本体３の表層に塗布された１層の導電金属膜又は導電合金膜であり、その膜厚が２μｍ以上である。導電金属膜又は導電合金膜の膜厚が２μｍより小さくなる場合、形成された複合半導構造の導電性能が悪く、速度が遅く又は安定性が不良であることに表現される。ある程度で、膜厚が大きいほど、導電の効果もよくなる。コストを考慮すると、製品の定位によって好適な膜原料及び膜厚を適当に選用してよい。
【００３０】
第１導電低下保護層１と第２導電低下保護層５とは、材質が同じであり、何れも透明な樹脂保護膜であり、一部の導電性能を低下させることに用いられ、その膜厚が３μｍ以上である。樹脂保護膜は、導電金属膜又は導電合金膜と複合して複合半導構造の製品を形成し、一部の導電性能を低下させるが櫛の表面移転電荷能力を向上させて、導電をより速くすると共に、導電金属膜又は導電合金膜の酸化を防止し、導電の効果及び耐用性を保障し、櫛の使用寿命を延ばすために設けられる。樹脂保護膜としてイオン型の大孔の弱酸のアクリルエステルワニス等が採用されるので、このような樹脂自体が樹脂骨格実体６の間に数多くの樹脂隙間７があり、第１又は第２中間導電層における自由電荷が樹脂隙間７を介して櫛の表面に遊離して、導電性能を失わずに一部の導電性能を低下させる要求を達成し、且つ導電金属膜又は導電合金膜に合わせて形成された複合半導構造の製品に半導体移転電荷をより速くするという性能を持たせることができる。
【００３１】
複合半導構造の表面抵抗値が半導体の範囲にあり、半導体の優れた電荷移転性能を持たせるという要求を保証するために、その導電金属膜又は導電合金膜の膜厚が２μｍ以上であり、樹脂保護膜の膜厚が３μｍ以上である。室温２５度、相対湿度６５度の環境で、櫛の表面抵抗値が１０３〜１０１１Ωにあり、より好ましくは１０４〜１０９Ωにあると測定される。その同時に、導電低下保護膜の厚さを適当に大きくして、製品の耐用性及び寿命を向上させることができる。
【００３２】
導電金属膜又は導電合金膜及び前記樹脂保護膜の塗布方法としては、電気めっき又は真空めっきを採用する。従来の牛角櫛又は導電炭素繊維櫛は、成形加工中の工程が複雑で且つ着色しにくい問題があり、色が単調であり、異なる顧客の審美要求を満たすことできない。それに対して、本考案の櫛の表面は、１層の透明な樹脂保護膜であり、後の加工において、異なる着色剤を添加してよく、樹脂が着色しやすく、市場の要求を満たすように、如何なる色合いの櫛を製造することもできる。
【００３３】
上記明細書の開示や示唆によると、当業者であれば、上記実施形態に変更や修正を加えることができる。そのため、本考案は、上記で開示し述べられる具体的な実施形態に限定されず、本考案に対するある修正や変更も本考案の特許請求の範囲にある。また、本明細書で特定の専門用語が使用されるが、これらの専門用語は単に説明しやすくするためのものであり、本考案に如何なる制限を加えることもない。
【符号の説明】
【００３４】
１  第１導電低下保護層
２  第１中間導電層
３  櫛本体
４  第２中間導電層
５  第２導電低下保護層
６  樹脂骨格実体
７  樹脂隙間
８  ガス嚢貫通孔
９  半球形体突起
１０  ハンドル無しの扁平な櫛の把握部
１１  ハンドル無しの扁平な櫛の櫛歯部
１２  ハンドル付きの扁平な櫛の把握部
１３  ハンドル付きの扁平な櫛の櫛歯部
１４  ガス嚢皮
【図１】
0003231406.tif 000003
【図２】
0003231406.tif 000004
【図３】
0003231406.tif 000005
【図４】
0003231406.tif 000006
【図５】
0003231406.tif 000007
【図６】
0003231406.tif 000008
【手続補正書】
【提出日】令和3年1月27日(2021.1.27)
【手続補正１】
【補正対象書類名】実用新案登録請求の範囲
【補正対象項目名】全文
【補正方法】変更
【補正の内容】
【実用新案登録請求の範囲】
【請求項１】
櫛本体が櫛歯部及び把握部を含む帯電防止保健櫛において、前記把握部、櫛歯部の外面の何れにも第１中間導電層が塗布され、前記第１中間導電層に第１導電低下保護層が塗布されることを特徴とする帯電防止保健櫛。
【請求項２】
前記把握部及び櫛歯部は、一体成形された中空の構造であり、何れの内面にも第２中間導電層が塗布され、前記第２中間導電層に第２導電低下保護層が塗布されることを特徴とする請求項１に記載の帯電防止保健櫛。
【請求項３】
前記櫛歯部の頭部の正面に開口が設けられ、開口にガス嚢皮が被覆され、前記ガス嚢皮にガス嚢貫通孔及び複数の櫛歯が設けられることを特徴とする請求項２に記載の帯電防止保健櫛。
【請求項４】
前記ガス嚢皮はラバーであり、上方へ膨出して外凸したラバーが櫛歯部の頭部の開口の内壁にしっかり貼り合い、前記ラバーの把握部に接近する一端にガス嚢貫通孔が設けられ、前記ラバーの内外面の何れにも第１中間導電層又は第２中間導電層が塗布され、その上に第１導電低下保護層又は第２導電低下保護層が更に塗布されることを特徴とする請求項３に記載の帯電防止保健櫛。
【請求項５】
前記第１中間導電層及び第１導電低下保護層の複合半導構造の表面抵抗値は１０３Ω〜１０１１Ωであり、前記第２中間導電層及び第２導電低下保護層の複合半導構造の表面抵抗値は１０３Ω〜１０１１Ωであることを特徴とする請求項４に記載の帯電防止保健櫛。
【請求項６】
前記第１中間導電層及び第１導電低下保護層の複合半導構造の表面抵抗値は１０４Ω〜１０９Ωであり、前記第２中間導電層及び第２導電低下保護層の複合半導構造の表面抵抗値は１０４Ω〜１０９Ωであることを特徴とする請求項５に記載の帯電防止保健櫛。
【請求項７】
前記把握部及び櫛歯部の正面及び背面の何れにも複数の半球形体の突起が分布されることを特徴とする請求項１〜請求項６の何れか１項に記載の帯電防止保健櫛。
【請求項８】
前記第１中間導電層と第２中間導電層とは、材質が同じであり、何れも前記櫛本体の表面に塗布された１層の導電金属膜又は導電合金膜であり、その膜厚が２μｍ以上であることを特徴とする請求項２に記載の帯電防止保健櫛。
【請求項９】
前記第１導電低下保護層と第２導電低下保護層とは、材質が同じであり、何れも１層の透明な樹脂保護膜であり、その膜厚が３μｍ以上であることを特徴とする請求項２に記載の帯電防止保健櫛。
【請求項１０】
前記導電金属膜又は導電合金膜の塗布方法として電気めっき又は真空めっきを採用することを特徴とする請求項８に記載の帯電防止保健櫛。
【請求項１１】
前記樹脂保護膜の塗布方法として電気めっき又は真空めっきを採用し、且つ透明な樹脂保護膜を異なる着色剤で着色することを特徴とする請求項９に記載の帯電防止保健櫛。